(57)【要約】      （修正有）【課題】着用から脱する際、ファスナーを使用せずに、面方向に伸縮性を有しているウェットスーツ又はボディスーツにおいて、脱衣を容易とする構造を提供する。【解決手段】胴部を被服する前側及び後側の部位に着脱用のファスナーを設けずに、面方向に伸縮性を有しているウェットスーツ又はボディスーツ１の内側に脱衣用の紐３を設ける。又、首部カバー領域２の内上端両肩側方向に位置している裏面、又は前記左右両肩部をカバーする領域から手首をカバーする領域に至る迄の位置における裏面に前記紐の後方両端３１を固着する。さらに、当該紐の先方両端３２に至る長さが、当該紐３をウェットスーツ又はボディスーツ１の外側であって、身体の前側に吊設した場合に、着衣者の両側掌における指先によって当該先方両端から当該先方両端に至る中途部位の位置を把持することができる程度とする。【選択図】図２
0003162550.tif 000002
【実用新案登録請求の範囲】
【請求項１】
胴部を被服する前側及び後側の部位に着脱用のファスナーを設けずに、面方向に伸縮性を有しているウェットスーツ又はボディスーツの内側に脱衣用の紐を設け、首部カバー領域の内上端両肩側方向に位置している裏面、又は前記左右両肩部をカバーする領域から手首をカバーする領域に至る迄の位置における裏面に前記紐の後方両端を固着し、当該紐の先方両端に至る長さが、当該紐をウェットスーツ又はボディスーツの外側であって、身体の前側に吊設した場合に、着衣者の両側掌における指先によって当該先方両端から当該先方両端に至る中途部位の位置を把持することができる程度であることに基づくウェットスーツ又はボディスーツ。
【請求項２】
紐の後方両端を、首部カバー領域のうち上端肩側方向の位置であってしかも胸部との境界位置、又は上端両肩をカバーする領域のうち胸部との境界の位置に固着していることを特徴とする請求項１に記載のウェットスーツ又はボディスーツ。
【請求項３】
紐が平面状の素材を使用することによって帯状であることを特徴とする請求項１，２の何れか１項に記載のウェットスーツ又はボディスーツ。
【請求項４】
紐が伸縮弾性を有していることを特徴とする請求項１、２、３の何れか一項に記載のウェットスーツ又はボディスーツ。
【考案の詳細な説明】
【技術分野】
【０００１】
本考案は、ダイビング等のスポーツ、及び河川及び海洋内の調査等の作業に使用し、かつ前側裏面において、着脱用のファスナーを採用せずに、面方向に伸縮性を有しているウェットスーツ又はボディスーツにおいて、着衣状態から容易に離脱することを可能とするウェットスーツ又はボディスーツに関するものである。
【背景技術】
【０００２】
近年、ウェットスーツ又はボディスーツの分野では、良好な防水性及び快適な着衣状態を考慮して、ファスナーを使用しない所謂ノンファスナー方式が好適に採用されている。
【０００３】
このようなノンファスナー方式の場合には、殆ど大抵の場合上半身の着脱の便宜及び身体への密着状態を確保するために、面方向に伸縮性を有する構成を採用されている。
【０００４】
しかしながら、そのような伸縮性を有するウェットスーツ又はボディスーツにおいては、伸縮を可能とするような被覆する面の弾力に抗した状態にて脱衣を行うことが要求されるが、両手又は片手をウェットスーツ又はボディスーツの首元に移動させた状態にて、前記弾力に抗しながら両肩側からウェットスーツ又はボディスーツのうちの胴部を被服している部分を外す為には相当の力を必要とし、意外と煩雑な作業とならざるを得ない。
【０００５】
このような状況を解決するため、特許文献１においては、１本の紐（引っ張り操作部材）の一方端をウェットスーツ又はボディスーツの肩部及び肩部下側の背部までを含む部位の任意箇所に取り付けることによって、脱衣の際、当該紐（引っ張り操作部材）を背部側において引っ張る構成が提唱されている。
【０００６】
しかしながら、特許文献１の構成では、紐（引っ張り操作部材）が１本であるため、操作のために両手を有効に使用することができない状況にある一方、基本的に背部に取り付けられているため、一方側の手を後側に移動させて操作することを必要としているが、前側における操作に比し、後側における手の移動及び手による操作が必ずしもスムースではないこと、更には操作状況について自らの視覚による観察を行うことができない点において欠陥を免れることができない。
【０００７】
特許文献２は、曲側胴部を被服する部位の裏面にフロントファスナーを設けているウェットスーツ又はボディスーツにおいて、フロントファスナーの上端両側の位置、又はウェットスーツ又はボディスーツの内面で前記上端両側から手首をカバーする領域に至る途中の位置に、紐の後端を固着する構成を提唱している。
【０００８】
しかしながら、所謂ノンファスナー方式においては、フロントファスナーの上端両側の位置に相当する部位に紐の後方両端を固着し、両方の紐を両手によって左右に引いたところで脱衣を行うことが出来ない。
【先行技術文献】
【特許文献】
【０００９】
【特許文献１】特許第３６４５８２０号公報
【特許文献２】実用新案登録３１５２３５５号公報
【考案の概要】
【考案が解決しようとする課題】
【００１０】
本考案は、着用から脱する際、ファスナーを使用せずに、面方向に伸縮性を有しているウェットスーツ又はボディスーツにおいて、容易に脱衣を行うことが可能であるとする構成を提供することを課題としている。
【課題を解決するための手段】
【００１１】
前記課題を解決するため、本考案の基本構成は、胴部を被服する前側及び後側の部位に着脱用のファスナーを設けずに、面方向に伸縮性を有しているウェットスーツ又はボディスーツの内側に脱衣用の紐を設け、首部カバー領域の内上端両肩側方向に位置している裏面、又は前記左右両肩部をカバーする領域から手首をカバーする領域に至る迄の位置における裏面に前記紐の後方両端を固着し、当該紐の先方両端に至る長さが、当該紐をウェットスーツ又はボディスーツの外側であって、身体の前側に吊設した場合に、着衣者の両側掌における指先によって当該先方両端から当該先方両端に至る中途部位の位置を把持することができ程度であることに基づくウェットスーツ又はボディスーツからなる。
【考案の効果】
【００１２】
前記基本構成に基づき、本考案においてはウェットスーツ又はボディスーツの着衣者は、紐の先方両端、又は当該先方両端に至る中途部位を両側掌の指先によって把持し、左右両肩側に引っ張り、かつ首部カバー領域を左右両側の肩部まで下方に移動させることによって、ウェットスーツ又はボディスーツの着用状態からの離脱を容易に実現することが可能となる。
【図面の簡単な説明】
【００１３】
【図１】紐の先方両端３２を左右両肩側に引っ張ることによって、ウェットスーツ又はボディスーツ１の着用からの離脱を実現する状態を示す見取り図である。
【図２】紐の後方両端３１がウェットスーツ又はボディスーツ１の裏面部に固着されている状況を示すウェットスーツ又はボディスーツ１の部分見取り図であって、（ａ）は後側両端が両端首部カバー領域２の裏面において、左右両肩側方向であって、しかも胸部との境界の位置に固着されている実施形態を示しており、（ｂ）は後側両端が左右両肩部をカバーする領域から手首をカバーする領域に至る迄の位置の裏面に固着されている実施形態を示している。
【考案を実施するための形態】
【００１４】
本考案においては、図２に示すように、ウェットスーツ又はボディスーツ１の裏面部において、紐の後方両端３１が固着される位置を、首部カバー領域２の内左右両肩側部方向の位置（図２（ａ）の場合）、又は前記左右両肩の裏面から手首をカバーする領域に至る迄の位置（図２（ｂ）の場合）とすることによって、当該紐３を介してウェットスーツ又はボディスーツ１の脱衣を実現していることに基本的特徴を有している。
【００１５】
前記脱衣を可能とするためには、前記解決手段の項に記載したように、紐の後方両端３１から先方両端３２に至る長さが、当該紐３をウェットスーツ又はボディスーツ１の外側であって、かつ身体の前側に吊設した場合に、着衣者の両側掌における指先によって把持することができる程度であることを必要としている。
【００１６】
即ち、前記のような程度の長さによって、着衣者は脱衣に際し、紐３を身体の前側に吊設した上で、先方両端３２又は当該先方両端３２に至る中途部位を把持し、図１に示すように、紐３を左右両肩側方向に引っ張った後、当該紐３を下方に移動させることによってウェットスーツ又はボディスーツ１を左右両側肩部から外し、かつ上側胴部における脱衣を効率的に行うことが出来る。
【００１７】
特に、図２（ａ）に示すように、紐の後方両端３１を上端肩側方向の位置であって、しかも胸部との境界位置に固着した実施形態においては、両手によって紐の先方両端３２又は当該先方両端３２に至る中途部位を把持しやすく、脱衣に便利である。
【００１８】
同様に、上端両肩をカバーする領域のうち、胸部との境界の位置に固着している実施形態（図示せず）においても、同様に上記中途部位を把持し易く、脱衣に便利な状態とすることが出来る。
【００１９】
紐３は、着用している段階では、外側に露出することは潜水作業の支障となり得ることから、ウェットスーツ又はボディスーツ１を着用している段階では、図２（ａ）、（ｂ）に示すように、紐の先方両端３２に至る全体はウェットスーツ又はボディスーツ１の前側裏面に配設された状態となっている。
【００２０】
但し、一本の紐３がウェットスーツ又はボディスーツ１の裏面の上側から垂れ下がった状態は不安定であり、特に紐３が長い場合には、内側の被服と接触することによる不快感を生ずる場合がある。
【００２１】
このような不都合を配慮し、平面状の素材を使用することによって帯状であることを特徴とする実施形態が、前記不快感を軽減する点において、好適に採用されている。
【実施例】
【００２２】
実施例においては、紐３が伸縮弾性を有していることを特徴としている。
【００２３】
このような伸縮弾性を有する紐３を採用した場合には、着用者は紐の先方両端３２又は当該先方両端３２に至る中途部位を把持して、急激に左右両肩側に引っ張った後、当該紐３の弾性力を利用してフロントファスナーの相互の離脱状態を速やかに実現することが出来る。
【００２４】
しかも、このような伸縮弾性を有する紐３の場合には、伸縮弾性を有していない紐３の場合よりも、短い設計であっても本考案の作用効果を達成することができる。
【産業上の利用可能性】
【００２５】
本考案は、全てのタイプのノンファスナー方式によるウェットスーツ又はボディスーツに利用することが可能である。
【符号の説明】
【００２６】
１  ウェットスーツ又はボディスーツ
２  首部カバー領域
３  紐
３１  紐の後方両端
３２  紐の先方両端
【図１】
0003162550.tif 000003
【図２】
0003162550.tif 000004
【手続補正書】
【提出日】平成22年7月2日(2010.7.2)
【手続補正１】
【補正対象書類名】実用新案登録請求の範囲
【補正対象項目名】請求項１
【補正方法】変更
【補正の内容】
【請求項１】
胴部を被服する前側及び後側の部位に着脱用のファスナーを設けずに、面方向に伸縮性を有しているウェットスーツ又はボディスーツの内側に脱衣用の紐を設け、首部カバー領域の内上端両肩側方向に位置している裏面、又は前記左右両肩部をカバーする領域から手首をカバーする領域に至る迄の位置における裏面に前記紐の後方両端を固着し、当該紐の先方両端に至る長さが、当該紐をウェットスーツ又はボディスーツの外側であって、身体の前側に吊設した場合に、着衣者の両側掌における指先によって当該先方両端から当該先方両端に至る中途部位の位置を把持することができる程度であるウェットスーツ又はボディスーツ。
【手続補正２】
【補正対象書類名】明細書
【補正対象項目名】００１１
【補正方法】変更
【補正の内容】
【００１１】
前記課題を解決するため、本考案の基本構成は、胴部を被服する前側及び後側の部位に着脱用のファスナーを設けずに、面方向に伸縮性を有しているウェットスーツ又はボディスーツの内側に脱衣用の紐を設け、首部カバー領域の内上端両肩側方向に位置している裏面、又は前記左右両肩部をカバーする領域から手首をカバーする領域に至る迄の位置における裏面に前記紐の後方両端を固着し、当該紐の先方両端に至る長さが、当該紐をウェットスーツ又はボディスーツの外側であって、身体の前側に吊設した場合に、着衣者の両側掌における指先によって当該先方両端から当該先方両端に至る中途部位の位置を把持することができる程度であるウェットスーツ又はボディスーツからなる。